(57)【特許請求の範囲】
【請求項１】
外周の一部に突出構造を有する管状体を段ボール箱に収納し包装する際にその管状体に装着して密接状態に段ボール箱内に収められて緩衝機能を果たす緩衝部材であって、前記管状体の突出構造を含む断面積より広い支持面を備え、その支持面に形成された保持部によって前記管状体をその両端部において横架状に両持ち支持し、かつ同管状体の端面を外側の支持面に当接させる角形の門型に段ボール紙によって構成された一対の支持脚と、この支持脚に設けられたスリット部分に嵌められて、この支持脚間に装架され、前記管状体の突出構造を被冠し、その管状体の回転を規制する段ボール紙よりなるチャンネル状の緩衝材とを有し、前記支持脚の少なくとも一方の上部に前記緩衝材の装着によっても覆われないように付属部品収納部を開設し、この付属部品収納部に、ウェブ部の両側に側部を有し、側部の端にそれぞれフランジが外方へ曲げ形成された付属部品を、そのフランジを上面で保持させるようにして収め込んだ管状体包装用の緩衝部材。
【発明の詳細な説明】
【０００１】
【発明の属する技術分野】
本発明は、外周の一部に突出構造を有する管状体を段ボール箱に収納し包装するための管状体包装用の緩衝部材に関するものである。
【０００２】
【従来の技術】
外周の一部に突出構造を有する管状体２としては、例えば、図１４に示すような直管状の通風路にダンパーが組込まれ、ダンパーの駆動部が通風路の外周に設けられた防火ダンパー装置がある。この他にも円管状の本体の外周にモーターやレバーやハンドル等が突出構造として突出した物品は多い。こうした管状体２の包装には従来から図１５に示すような緩衝部材が使用されてきた。即ち、段ボール紙を角筒状に構成した一対の脚部３０と、この脚部３０の間に装着される段ボール紙よりなる緩衝材３１とを管状体２に装着し、全体を包装箱３２に収め込むようにしている。各脚部３０には、その対向する二面の一方の中央に管状体２の端部を嵌め込む丸穴３３が形成され、下部の重ね部分３４においてステップルや接着剤により結合されている。
【０００３】
また、緩衝材３１は、段ボール紙のシートの両側に角筒状のスリーブ３５を曲げ形成した構成で、やはりスリーブ３５の一部が平板部３６に重ねられステップルや接着剤により結合されている。管状体２の両端部に丸穴３３を使ってそれぞれ脚部３０を嵌め装着し、管状体２を突出構造３７が上になるように脚部３０間に横架状に保持させる。取付金具等の付属部品３８を緩衝材３１のスリーブ３５内に収め込み、緩衝材３１をそのスリーブ３５で突出構造３７を跨がせるようにして脚部３０間に装着し、これら全体を包装箱３２に密接状態に収め込む包装形態が採られる。管状体２の突出構造３７は緩衝材３１のスリーブ３５に挟まれ、これにより管状体２の回転が規制される。
【０００４】
【発明が解決しようとする課題】
上記のような従来の管状体包装用の緩衝部材においては、付属部品３８をスリーブ３５に収める構成のため、付属部品３８が外部から簡単に見えず、包装時に付属部品３８の入れ忘れのチェックが面倒であり、開梱時に緩衝材３１とともに付属部品３８が廃却されてしまうようなこともあった。また、脚部３０も緩衝材３１もステップルや接着剤による結合部分がある複雑な構成であり、加工コストが割り高であるうえ、ステップルによって結合したものでは、段ボール紙との分別がしにくく、リサイクル性に欠けるといった問題点もある。
【０００５】
本発明は、上記した従来の問題点を資源の有効利用の観点に立って解消しようとするものであり、その課題とするところは、緩衝保護機能を損なうことなく構成の簡素化が可能な管状体包装用の緩衝部材を得ることであり、同梱の付属部品の有無等の確認が目視により簡単に行なうことができる管状体包装用の緩衝部材を得ることであり、包装材料を極力少なくすること、製作性、廃棄性、リサイクル性の向上を推進することである。
【０００６】
【課題を解決するための手段】
前記課題を達成するために請求項１の発明は、外周の一部に突出構造を有する管状体を段ボール箱に収納し包装する際にその管状体に装着して密接状態に段ボール箱内に収められて緩衝機能を果たす緩衝部材について、その管状体の突出構造を含む断面積より広い支持面を備え、支持面に形成された保持部によって管状体をその両端部において横架状に両持ち支持し、かつ管状体の端面を外側の支持面に当接させる角形の門型に段ボール紙によって構成された一対の支持脚と、支持脚に設けられたスリット部分に嵌められて、支持脚間に装架され、管状体の突出構造を被冠し、管状体の回転を規制する段ボール紙よりなるチャンネル状の緩衝材とを有し、支持脚の少なくとも一方の上部に緩衝材の装着によっても覆われないように付属部品収納部を開設し、付属部品収納部に、ウェブ部の両側に側部を有し、側部の端にそれぞれフランジが外方へ曲げ形成された付属部品を、そのフランジを上面で保持させるようにして収め込んだ構成とする手段を採用する。
【００１２】
【発明の実施の形態】
次に本発明の実施の形態を図面に基づいて説明する。
実施の形態１．
図１〜図５によって示すこの実施の形態１は、図２に示すように外周の一部に突出構造１を有する管状体２を段ボール箱３に収納し包装する際に、管状体２に装着して管状体２を緩衝保護する管状体包装用の緩衝部材に関するものである。管状体２としては、図１，２に示すような直管状の通風路にダンパーが組込まれ、ダンパーの駆動部が通風路の外周に設けられた防火ダンパー装置を挙げることができるが、この他にも円管状の本体の外周にモーターやレバーやハンドル等が突出構造１として突出した物品にも適用することが可能である。この実施の形態１の管状体２には、ウェブ部４の両側に側部５を有し、側部５の端にそれぞれフランジ６が外方へ曲げ形成された取付金具７が付属部品として備えられている。
【００１３】
緩衝部材は、段ボール紙よりなる一対の支持脚８と、段ボール紙よりなる緩衝材９とから構成されている。各支持脚８は同形同寸法で、図４に示すような展開形状に打ち抜かれた段ボールシート１０を二箇所の曲げ罫線１１をほぼ直角に折り曲げることにより図３に示すように門型に組立てられる。段ボールシート１０は長方形をしていて、各短辺寄りにそれぞれ同じ寸法の支持面１２が一面ずつ画成され、支持面１２の間の中央に上面１３が画成されている。一方の支持面１２には管状体２の外径にほぼ等しい径の丸穴１４が幅方向の中央に開けられている。上面１３の中央には付属部品収納部１５が凹状に開けられ、その二つのスリット部分１６は丸穴１４の開いた支持面１２に突入して形成されている。支持面１２の丸穴１４の口縁と上面１３の端縁までの間隔は管状体２の突出構造１の突出量にほほ等しく設定されている。なお、段ボールシート１０の短辺の長さは、取付金具７のフランジ６端間の長さにほぼ等しくなっており、付属部品収納部１５の短辺方向の寸法は、取付金具７の側部５間の寸法より僅かに大きくなっている。
【００１４】
緩衝材９は、長辺が管状体２の中心線方向の寸法より少し短く、短辺がスリット部分１６の長さの二倍にスリット部分１６間の寸法を加えた程の長さの図５に示すような長方形の段ボールシート１７を二本の曲げ罫線１１を、それぞれほぼ直角に折り曲げることにより、図２に示すようなチャンネル状に組立てられる。
【００１５】
包装に際しては、管状体２の両端部に丸穴１４を使ってそれぞれ上面を上にした門型に組立てた支持脚８を嵌め装着し、管状体２を突出構造１が上になるように支持脚８間に横架状に保持させる（図２参照）。取付金具７を一方の付属部品収納部１５にフランジ６で上面１３に保持させるようにして収め込み、緩衝材９をその両側面を各支持脚８のスリット部分１６に差し込み、突出構造１を被冠するように支持脚８間に横架状に装着する。取付金具７を装着しない方の支持脚８の外側の支持面１２には、緩衝材９の一端が当接し、付属部品収納部１５は緩衝材９の上面１８で閉止されるが、取付金具７を装着した方は緩衝材９が短いため閉止されず、取付金具７は外から目視できる状態になっている。この組付け総体を段ボール箱３に密接状態に収め込み、封緘することにより包装が完了する。管状体２の突出構造１は緩衝材９の側面１９に保持され、これにより管状体２の回転が規制されている。
【００１６】
この緩衝部材の各支持脚８は門型で、下部は結合していないが、管状体２の端面が丸穴１４の無い外側の支持面１２に当接していることから、上下方向の荷重にも、前後方向の荷重にも側部方向の荷重にもその形状の安定性は高く、十分な緩衝保護機能を果たす。段ボール箱３に前後方向から掛かる荷重は、一義的には各支持脚８の支持面１２及び上面１３の端面が担うが、大きな荷重に対しては付属部品収納部１５に収納した取付金具７が受け、取付金具７の支保機能により段ボール箱３の潰れが防止され、収められた管状体２は緩衝保護されることになる。
【００１７】
このように、各支持脚８にも緩衝材９にもステップルや接着剤による結合部分はなく簡素な構成であり、包装材料も少なく、製作性、廃棄性、リサイクル性の向上を推進できる。支持脚８は左右対称であるため、同じ抜き型で製造でき、しかも支持脚８も緩衝材９も平板態にして保管できるので保管効率も良い。そして、付属部品である取付金具７が外部から簡単に直接見えるため、包装時に取付金具７の入れ忘れのチェックも簡単であり、開梱時に取付金具７が廃却されてしまうようなこともなくなる。
【００１８】
実施の形態２．
図６，７，８によって示すこの実施の形態２の管状体包装用の緩衝部材は、実施の形態１で示したものの付属部品収納部１５を片方の支持脚８にのみ設けたものであり、それに係る構成以外は実施の形態１で示したものと同じである。従って、実施の形態１のものと同じ部分については、同じ符号を用いそれらについての説明は省略する。
【００１９】
この緩衝部材は、取付金具７を収めない側の支持脚８には図７，８に示すように緩衝材９の側面１９を嵌め込む二本のスリット部分１６と丸穴１４だけを設けた構成である。付属部品収納部１５を両者に設け左右対称に支持脚８を構成した実施の形態１のものは、製造性は良いが、不必要な付属部品収納部１５ができるためその分、支持脚８の強度が低下する。しかし、このように個別に支持脚８を構成することにより、当該支持脚８の強度の低下を回避することができる。これ以外の機能や利点は実施の形態１のものと同じである。
【００２０】
実施の形態３．
図９，１０，１１によって示すこの実施の形態３の管状体包装用の緩衝部材は、実施の形態１や実施の形態２で示した支持脚８を、個別にせずに一体に構成したものであり、それに係る構成以外は実施の形態１，２で示したものと同じである。従って、実施の形態１，２のものと同じ部分については、同じ符号を用いそれらについての説明は省略する。
【００２１】
この緩衝部材は、実施の形態１又は実施の形態２で示した各支持脚８の丸穴１４の無い支持面１２を図９に示すように底板部２０で繋いで構成したものである。従って、図１０に示すような帯状の段ボールシート２１の両側に各支持脚８がそれぞれ形成された展開形状となり、曲げ罫線１１で折曲げることにより、一対の支持脚８が底板部２０で繋った凹状の立体形状になる。この構成により部品点数の削減が可能になり、包装にかかる部品管理が容易になるうえ、底板部２０により前後方向及び側部方向の荷重に対する緩衝保護機能も向上する。これ以外の機能及び利点は実施の形態１，２のものと同じである。
【００２２】
実施の形態４．
図１２，１３によって示すこの実施の形態４の管状体包装用の緩衝部材は、実施の形態１や実施の形態２並びに実施の形態３で示した緩衝材９に、その緩衝機能の向上を図る工夫を講じたものであり、それに係る構成以外は実施の形態１，２，３で示したものと同じである。従って、実施の形態１，２，３のものと同じ部分については、同じ符号を用いそれらについての説明は省略する。
【００２３】
この緩衝部材は、実施の形態１，２，３で示した各支持脚８のスリット部分１６に装着する突出構造１の回り止めを果たす緩衝材９に工夫を講じたものである。即ち、緩衝材９の長手方向の長さが、各支持脚８の外側の支持面１２の内側に両端が当接する長さに設定され、付属部品収納部１５に対応する上面１８には窓２２が開設され、付属部品収納部１５を塞がないように構成されている。これにより、支持脚８の支持面１２間はチャンネル状の緩衝材９で支保されることになり、側面方向の荷重に対する緩衝保護機能が向上する。これ以外の機能や利点は実施の形態１，２，３のものと同じである。
【００２４】
【発明の効果】
以上、実施の形態で説明したとおり、請求項１の発明によれば、緩衝保護機能を損なうことなく付属部品によっても管状体に対する保護を行なうことができ、構成の簡素化が可能な管状体包装用の緩衝部材が得られ、同梱する付属部品の有無等の確認も目視により簡単に行なうことができ、廃棄性、リサイクル性も向上する。
【図面の簡単な説明】
【図１】  実施の形態１の管状体包装用の緩衝部材を包装状態で示す断面図である。
【図２】  実施の形態１の管状体包装用の緩衝部材を示す分解斜視図である。
【図３】  実施の形態１の支持脚の斜視図である。
【図４】  実施の形態１の支持脚の展開図である。
【図５】  実施の形態１の緩衝材の展開図である。
【図６】  実施の形態２の管状体包装用の緩衝部材を示す分解斜視図である。
【図７】  実施の形態２の支持脚の斜視図である。
【図８】  実施の形態２の支持脚の展開図である。
【図９】  実施の形態３の支持脚の斜視図である。
【図１０】  実施の形態３の支持脚の展開図である。
【図１１】  実施の形態３の管状体包装用の緩衝部材を包装状態で示す断面図である。
【図１２】  実施の形態４の管状体包装用の緩衝部材を示す分解斜視図である。
【図１３】  実施の形態４の緩衝材の展開図である。
【図１４】  従来の管状体包装用の緩衝部材を示す分解斜視図である。
【図１５】  従来の緩衝部材の脚部の斜視図である。
【符号の説明】
１  突出構造、  ２  管状体、  ３  段ボール箱、  ７  取付金具、  ８  支持脚、  ９  緩衝材、  １２  支持面、  １４  丸穴、  １５  付属部品収納部、  １６  スリット部分、  ２０  底板部、  ２２  窓。
【図１】
0003674317.tif 000002
【図２】
0003674317.tif 000003
【図３】
0003674317.tif 000004
【図４】
0003674317.tif 000005
【図５】
0003674317.tif 000006
【図６】
0003674317.tif 000007
【図７】
0003674317.tif 000008
【図８】
0003674317.tif 000009
【図９】
0003674317.tif 000010
【図１０】
0003674317.tif 000011
【図１１】
0003674317.tif 000012
【図１２】
0003674317.tif 000013
【図１３】
0003674317.tif 000014
【図１４】
0003674317.tif 000015
【図１５】
0003674317.tif 000016